(57)【要約】【課題】装置の大型化や装置コストの増大を招くことなく、布地などの媒体に対する加熱処理を装置内で実現可能な液体吐出装置を提供する。【解決手段】媒体を保持する保持面１５ａを有する保持部材１５と、保持部材１５に保持された媒体を加熱する加熱手段２０と、保持部材１５に保持された媒体に液体を吐出する液体吐出ヘッド１１，１２と、を備え、保持部材１５は、装置内部において保持面１５ａに対して略平行な方向及び略垂直な方向に移動可能であり、加熱手段２０は、前記略垂直な方向からみて、保持部材１５の前記略平行な方向における移動範囲と重なる位置に配置される液体吐出装置である。保持部材１５は、媒体を保持面１５ａに保持した状態で、加熱手段２０の下方へ移動した後、加熱手段２０に接近する方向へ移動可能である液体吐出装置である。【選択図】図１
2020044798.tif 000002
【特許請求の範囲】
【請求項１】
媒体を保持する保持面を有する保持部材と、
前記保持部材に保持された前記媒体を加熱する加熱手段と、
前記保持部材に保持された前記媒体に液体を吐出する液体吐出ヘッドと、を備え、
前記保持部材は、装置内部において前記保持面に対して略平行な方向及び略垂直な方向に移動可能であり、
前記加熱手段は、前記略垂直な方向からみて、前記保持部材の前記略平行な方向における移動範囲と重なる位置に配置されることを特徴とする液体吐出装置。
【請求項２】
媒体を保持する保持面を有する保持部材と、
前記保持部材に保持された前記媒体を加熱する加熱手段と、
前記保持部材に保持された前記媒体に液体を吐出する液体吐出ヘッドと、を備え、
前記保持部材は、装置内部において前記保持面に対して略平行な方向及び略垂直な方向に移動可能であり、前記媒体を前記保持面に保持した状態で前記加熱手段の下方へ移動した後、前記加熱手段に接近する方向へ移動可能であることを特徴とする液体吐出装置。
【請求項３】
前記保持部材は、前記保持面が前記液体吐出ヘッドの吐出面と対向する位置から前記加熱手段と対向する位置まで略水平方向に移動可能であり、前記保持面が前記加熱手段と近接ないし当接する位置まで略鉛直方向へ移動可能であることを特徴とする請求項１または２に記載の液体吐出装置。
【請求項４】
前記保持部材が、前記液体が吐出される前の媒体を前記加熱手段に押圧し、前記液体が吐出された後の媒体を前記加熱手段に近接または当接させることを特徴とする請求項１から３のいずれかに記載の液体吐出装置。
【請求項５】
前記保持部材が、前記媒体を前記加熱手段に押圧しながら、前記加熱手段との対向領域内を移動することを特徴とする請求項１から４のいずれかに記載の液体吐出装置。
【請求項６】
前記加熱手段の前記保持部材と対向する面と、前記液体吐出ヘッドの前記保持部材と対向する面との鉛直方向における位置が略同一であることを特徴とする請求項１から５のいずれかに記載の液体吐出装置。
【請求項７】
前記液体吐出ヘッドが、前記媒体に前処理液を吐出する第１の液体吐出ヘッドと、インクを吐出する第２の液体吐出ヘッドとを備えることを特徴とする請求項１から６のいずれかに記載の液体吐出装置。
【請求項８】
気体を排気する排気部を備えることを特徴とする請求項１から７のいずれかに記載の液体吐出装置。
【請求項９】
前記排気部は、前記媒体の搬送方向において前記液体吐出ヘッドと前記加熱手段との間に配置されることを特徴とする請求項８に記載の液体吐出ヘッド。
【発明の詳細な説明】
【技術分野】
【０００１】
本発明は、液体吐出装置に関する。
【背景技術】
【０００２】
液体吐出装置の一例としてのインクジェット記録装置（インクジェットプリンター）は、低騒音、低ランニングコスト、カラー印刷が容易である等の利点を有し、デジタル信号の出力機器として広く普及している。
インクジェット記録装置は布地等の媒体の印刷にも適用され、近年ではＴシャツ等の衣類に直接印字する、いわゆるＤＴＧ（Direct to Garment）分野の市場規模も年々拡大している。
【０００３】
また、インクジェット方式によって布地などに形成される画像について、従来のアナログ印刷並の画質が要求されるようになっている。
これに対し、印刷品質の低下を低減できる装置が提案されている（例えば、特許文献１参照）。
【０００４】
特許文献１には、印刷媒体として主にＴシャツ等の布帛に対して印刷を行う装置であって、複数のノズルが形成されたノズル面を有するヘッド部を備え、ヘッド部は、ノズル面の配置される下側とは反対側の上側において下筐体によって支持され、下筐体の底面における右端部は、平面を有するノズルガードに覆われ、底面における左端部は、平面を有する排気ガードに覆われ、平面は、ノズル面よりも下側において、ノズル面と平行に配置され、平面は、ノズル面よりも上側において、ノズル面と平行に配置されているため、ノズル面にインクが残存することによる印刷品質の低下を低減できる構成が開示されている。
【０００５】
一方で、布地に液体吐出ヘッドを使用して印刷を行った場合は、液体が吐出された布地を乾燥させる必要がある。これに対し、吐出された液体の乾燥を促進する装置として、加熱手段を備えたものが知られている。
加熱手段は、装置スペースの問題等から、液体吐出装置とは別体で設けられることが多い。
【発明の概要】
【発明が解決しようとする課題】
【０００６】
しかしながら、上述の液体吐出装置では加熱装置が別体で設けられているため、設置スペースが増大するという問題があった。
【０００７】
また、１つの装置内に加熱エリアと非加熱エリアを設ける構成とした場合は、厳重な冷却、断熱などの構成が必要になるなどして、装置の大型化や装置コストが増大するという問題がある。
【０００８】
そこで、本発明は、装置の大型化や装置コストの増大を招くことなく、布地などの媒体に対する加熱処理を実現可能な液体吐出装置を提供することを目的とする。
【課題を解決するための手段】
【０００９】
上記課題を解決するために、本発明の液体吐出装置は、媒体を保持する保持面を有する保持部材と、前記保持部材に保持された前記媒体を加熱する加熱手段と、前記保持部材に保持された前記媒体に液体を吐出する液体吐出ヘッドと、を備え、前記保持部材は、装置内部において前記保持面に対して略平行な方向及び略垂直な方向に移動可能であり、前記加熱手段は、前記略垂直な方向からみて、前記保持部材の前記略平行な方向における移動範囲と重なる位置に配置されることを特徴とする。
また、本発明の液体吐出装置は、媒体を保持する保持面を有する保持部材と、前記保持部材に保持された前記媒体を加熱する加熱手段と、前記保持部材に保持された前記媒体に液体を吐出する液体吐出ヘッドと、を備え、前記保持部材は、装置内部において前記保持面に対して略平行な方向及び略垂直な方向に移動可能であり、前記媒体を前記保持面に保持した状態で前記加熱手段の下方へ移動した後、前記加熱手段に接近する方向へ移動可能であることを特徴とする。
【発明の効果】
【００１０】
本発明によれば、装置の大型化や装置コストの増大を招くことなく、布地などの媒体に対する加熱処理を実現可能な液体吐出装置を提供することができる。
【図面の簡単な説明】
【００１１】
【図１】本発明の一実施形態に係る液体吐出装置を模式的に示す正面図である。
【図２】本発明の一実施形態に係る液体吐出装置を模式的に示す上面図である。
【図３】本発明の一実施形態に係る液体吐出装置を模式的に示す上面図である。
【図４】本発明の一実施形態に係る液体吐出装置を模式的に示す側面図である。
【図５】本発明の一実施形態に係る液体吐出装置を模式的に示す側面図である。
【図６】本発明の一実施形態に係る液体吐出装置を模式的に示す側面図である。
【図７】媒体に対する加熱処理時の動作を模式的に示す要部説明図である。
【発明を実施するための形態】
【００１２】
以下、本発明に係る液体吐出装置について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１３】
本発明に係る液体吐出装置は、媒体を保持する保持面を有する保持部材と、前記保持部材に保持された前記媒体を加熱する加熱手段と、前記保持部材に保持された前記媒体に液体を吐出する液体吐出ヘッドと、を備える。
前記保持部材は、装置内部において前記保持面に対して略平行な方向及び略垂直な方向に移動可能である。
前記加熱手段は、前記略垂直な方向からみて、前記保持部材の前記略平行な方向における移動範囲と重なる位置に配置される。また、前記加熱手段は、前記保持部材の前記保持面と当接可能である。
前記保持部材は、前記媒体を前記保持面に保持した状態で前記加熱手段の下方へ移動した後、前記加熱手段に接近する方向へ移動可能である。
【００１４】
また、前記保持部材が、前記保持面が前記液体吐出ヘッドの吐出面と対向する位置から前記加熱手段と対向する位置まで略水平方向に移動した後、前記保持面が前記加熱手段と近接ないし当接する位置まで略鉛直方向へ移動する。
【００１５】
本発明に係る液体吐出装置の構成の一例を図１〜図３に基づき説明する。
図１において、媒体は図中奥行方向（又は手前方向）に搬送されるものであり、図１は媒体の搬送方向（副走査方向）と垂直な方向における断面模式図（正面図）である。
図２及び３において、媒体は図中Ｆで示す装置前方部と、図中Ｂで示す装置後方部との間を搬送されるものであり、図２及び３は媒体の搬送方向（副走査方向）における断面模式図（上面図）である。
【００１６】
図１〜３には、キャリッジ１０、第１の液体吐出ヘッド１１、第２の液体吐出ヘッド１２、キャリッジ走査レール１３、排気部１４、保持部材１５、保持部材を支持する支持部１６、保持部材移動台１７、メンテナンスユニット１８、及び加熱手段２０が図示されている。
図２及び３では、加熱手段２０の位置を破線で示している。
なお、図中に示していないが、媒体は保持部材１５の保持面１５ａ上に載置される。
【００１７】
キャリッジ１０は、図中Ｄｙで示すキャリッジ移動方向（主走査方向）に移動可能であり、保持部材１５は、図中Ｄｚで示す保持部材移動方向（上下方向）に移動可能である。
【００１８】
保持部材１５は、媒体を保持する部材であり、大きさ等は適宜変更可能である。
媒体としては、Ｔシャツ等の布地が挙げられるが、これに限定されない。
例えば、普通紙、光沢紙、特殊紙なども用いることもでき、非浸透性基材を用いても良好な画像形成が可能である。また、媒体を搬送する経路の構成を調整することにより、セラミックスやガラス、金属などを使用することもできる。
具体的には、Ｔシャツなど衣料用等の布、テキスタイル、皮革等の他、壁紙、床材、タイル等の建材などが挙げられる。
【００１９】
保持部材１５は支持部１６により支持されている。保持部材移動台１７は、保持部材１５を移動させる機構である。
保持部材１５は、装置内部において保持面１５ａに対して略平行な方向及び略垂直な方向に移動可能である。
保持部材１５は、保持部材移動レール１９に沿って図中Ｄｘで示す方向に移動するとともに、図１中Ｄｚで示す方向（上下方向）に移動する。
【００２０】
保持部材１５の上下方向への移動は、液体吐出ヘッド１１，１２と媒体との距離（ＧＡＰ）を調節するために備えられている機構であるが、本実施形態においては、加熱手段２０との距離を調整するためにも機能する。
これにより加熱手段２０側を移動させる機構が不要となるため、装置の大型化や装置コストの増大を抑えることができる。
保持部材１５の具体的な移動態様については後述する。
【００２１】
従来のように加熱手段（加熱装置）を液体吐出装置とは別体として設ける構成では、加熱装置の加熱部分が外部に露出している場合が多く、ユーザーが加熱部分に触れて火傷を負う等の危険性があった。
これに対し、本実施形態においては、加熱手段２０が液体吐出装置内に内蔵されているため、加熱部分が露出しておらず、ユーザーが触れてしまう危険性が低減されている。
さらに加熱手段２０は、ユーザーの操作領域から離れた領域（装置の奥側）に配置されているため、ユーザーに対する安全性が確保されるとともに、加熱手段２０から生じた熱気が直接あたること等による不快感も除くことができる。
【００２２】
また、加熱手段２０と液体吐出ヘッド１１，１２とが離間して配置されるため、加熱手段２０の熱の影響によりヘッド内のインクの劣化や硬化、ノズル詰まり等の不具合の発生を低減することができる。
【００２３】
加熱手段２０は、液体吐出ヘッド１１，１２などから離間して配置されるが、保持部材１５の保持面１５ａと当接可能な位置に配置される。
加熱手段２０としては、例えば、マイカヒータやシリコンラバーヒータなどが好ましい。シリコンラバーヒータは表面が柔軟なゴムで加熱することになるので、媒体を加熱する面には板金などの平板部材を設けることが好ましい。平板部材の布地側表面は、液体の付着を防ぐためのフッ素樹脂加工や撥水加工を施すことが好ましい。
【００２４】
なお、加熱手段２０の保持部材１５と対向する面と、液体吐出ヘッド１１，１２の保持部材１５と対向する面との鉛直方向における位置が略同一であることが好ましい。
これにより、保持部材１５の上下方向に移動範囲を最小限に設定することができ、移動及び調整に要する時間を低減することができる。
【００２５】
メンテナンスユニット１８は、ヘッドのメンテナンスを行う機構であり、キャップや吸引ポンプ、空吐出受けなどで構成される。
【００２６】
キャリッジ１０は、第１の液体吐出ヘッド１１、第２の液体吐出ヘッド１２を有する筐体であり、ヘッドの他にも、エンコーダセンサ、移動ベルト、昇降機構等を備える。
キャリッジ走査レール１３は、キャリッジ１０を媒体の搬送方向とは垂直の方向に移動させるためのレールである。
【００２７】
液体吐出ヘッドは、例えば、第１の液体吐出ヘッド１１を前処理液を吐出するヘッドとし、第２の液体吐出ヘッドをインクを吐出するヘッドとすることができる。
以下、第１の液体吐出ヘッド１１及び第２の液体吐出ヘッド１２を区別せずに説明する場合、単に「ヘッド」ということがある。
【００２８】
図３は、図２におけるキャリッジ１０と保持部材１５が移動したときの状態を示す図である。
図示されるように、保持部材１５は保持部材移動レール１９に沿って移動するものであり、図中Ｄｘで示す矢印方向に移動する。媒体は保持部材１５上に保持されて移動するため、保持部材１５の移動方向と媒体の搬送方向は一致する。
また、図示されるように、第２の液体吐出ヘッド１２は媒体の搬送方向において第１の液体吐出ヘッド１１よりも下流側に配置されている。
【００２９】
保持部材１５が図中Ｄｘで示す矢印方向に移動し、キャリッジ１０に近づいた辺りで、キャリッジ１０が主走査方向（図中Ｄｙ方向）に走査しながら、ヘッドから液体が吐出される。
【００３０】
なお、媒体の位置を固定し、キャリッジが上流と下流に搬送される構成としてもよい。この場合、本実施形態における「媒体の搬送方向の上流及び下流」とは、ヘッドとの相対的な搬送方向として考えてよい。すなわち、媒体の搬送方向の上流側とあるのは、ヘッドの搬送方向の下流側にあたり、媒体の搬送方向の下流側とあるのは、ヘッドの搬送方向の上流側にあたる。
【００３１】
液体吐出は、例えば、先に第１の液体吐出ヘッド１１から媒体に向けて前処理液を吐出し、その後に第２の液体吐出ヘッド１２から媒体に向けてインクを吐出する態様が挙げられる。
【００３２】
前処理液としては、ヘッドから吐出可能なものであれば特に制限はなく、公知のものより適宜選択することができるが、多価金属イオンを含むことが好ましい。また、必要に応じて、例えば樹脂などのその他の成分を含有してもよい。
【００３３】
前記多価金属イオンとしては、公知のものより適宜選択でき、例えば、カルシウムイオン、マグネシウムイオン、アルミニウムイオン等が挙げられる。これらは、１種単独で使用してもよいし、２種以上を併用してもよい。
【００３４】
前記多価金属イオンは、水溶性の多価金属塩を溶解させることで前処理液中に含有させることができる。
前記多価金属塩としては、公知のものより適宜選択でき、例えば、カルボン酸塩（酢酸、乳酸など）、硫酸塩、硝酸塩、塩化物、及びチオシアン酸塩が好適である。なお、多価金属塩は、１種単独で用いてもよいし２種以上を併用してもよい。これらの中でも水への溶解性及び水溶性有機溶媒への溶解性が良好なカルボン酸塩、硫酸塩、硝酸塩、塩化物が発色性や耐ブリード性等の画質や吐出信頼性の観点から好ましい。
【００３５】
インクとしては、ヘッドから吐出可能なものであれば特に制限はなく、公知のものより適宜選択することができ、例えば、有機溶剤、水、色材、樹脂、添加剤等を含むものが挙げられる。
【００３６】
有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
【００３７】
色材としては特に限定されず、顔料、染料を使用可能である。
顔料としては、無機顔料又は有機顔料を使用することができる。これらは、１種単独で用いても良く、２種以上を併用しても良い。また、混晶を使用しても良い。顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
染料としては、特に限定されることなく、酸性染料、直接染料、反応性染料、及び塩基性染料が使用可能であり、１種単独で用いてもよく、２種以上を併用してもよい。
【００３８】
顔料を分散してインクを得るためには、顔料に親水性官能基を導入して自己分散性顔料とする方法、顔料の表面を樹脂で被覆して分散させる方法、分散剤を用いて分散させる方法、などが挙げられる。
【００３９】
顔料に、水や有機溶剤などの材料を混合してインクを得ることが可能である。また、顔料と、その他水や分散剤などを混合して顔料分散体としたものに、水や有機溶剤などの材料を混合してインクを製造することも可能である。
前記顔料分散体は、水、顔料、顔料分散剤、必要に応じてその他の成分を混合、分散し、粒径を調整して得られる。分散は分散機を用いると良い。
【００４０】
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。
これらの樹脂からなる樹脂粒子を用いても良い。樹脂粒子を、水を分散媒として分散した樹脂エマルションの状態で、色材や有機溶剤などの材料と混合してインクを得ることが可能である。前記樹脂粒子としては、適宜合成したものを使用してもよいし、市販品を使用してもよい。また、これらは、１種を単独で用いても、２種類以上の樹脂粒子を組み合わせて用いてもよい。
【００４１】
添加剤としては、例えば、界面活性剤、消泡剤、防腐防黴剤、防錆剤、ｐＨ調整剤等が挙げられる。
【００４２】
また、必要に応じて後処理液を塗布することができる。
後処理液は、透明な層を形成することが可能であれば、特に限定されない。後処理液は、有機溶剤、水、樹脂、界面活性剤、消泡剤、ｐＨ調整剤、防腐防黴剤、防錆剤等、必要に応じて選択し、混合して得られる。また、後処理液は、媒体に形成された記録領域の全域に塗布しても良いし、インク像が形成された領域のみに塗布しても良い。
【００４３】
排気部１４は、装置本体２２の気体を、装置本体２２外へと排気するための機構である。例えば、ファンを有していてもよく、モーターに接続されたファンなどからなる。
【００４４】
なお、液体吐出ヘッド１１，１２に対する熱の影響を低減するため、排気部４１は、媒体の搬送方向において液体吐出ヘッド１１，１２と加熱手段２０との間に配置されることが好ましい。これにより、加熱手段２０からの熱がヘッドに伝わりにくくなる。
【００４５】
次に、図４〜図７に基づき、保持部材１５の移動態様について説明する。
図４〜図６は、本実施形態に係る液体吐出装置の側面図（図１〜図３における左側面）である。
図４は、媒体に液体が吐出された後（印刷後）の保持部材１５の位置、図５は、媒体の加熱処理を行う前の保持部材１５の位置、図６は媒体の加熱処理中の保持部材１５の位置をそれぞれ示している。
図７は、媒体３０の加熱処理時における保持部材１５の動作を示す説明図である。
【００４６】
図４及び図５に示すように、保持部材１５は、媒体を保持面１５ａに保持した状態で加熱手段２０の下方へ移動した後、加熱手段２０に接近する方向（上方）へ移動する。
また、図６に示すように、保持部材１５は、保持面１５ａが液体吐出ヘッド１１，１２の吐出面と対向する位置から加熱手段２０と対向する位置まで略水平方向に移動した後、保持面１５ａが加熱手段２０と近接ないし当接する位置まで略鉛直方向へ移動する。
【００４７】
図５に示すように、加熱手段２０と液体吐出ヘッド１１，１２は、保持部材１５と対向する面の鉛直方向における位置（図中Ｈで示す）が略同一である。
【００４８】
保持部材１５は、液体が吐出される前の媒体を加熱手段２０に押圧する。
また保持部材１５は、液体が吐出された媒体を、加熱手段２０に近接または当接させる。
ここで「押圧」とは、「押し付け」「プレス」等にも言い換えることができ、媒体にある程度の圧力が与えられるように、加熱手段２０と保持面とで挟み込む状態を意味する。また「当接」とは、「接触」「触れさせる」等にも言い換えることができ、少なくとも、先述した「押圧」よりも弱い圧力を与えるように、媒体を加熱手段２０と保持面とで挟み込む状態を意味する。また「近接」とは、「近づく」等とも言い換えることができ、媒体が加熱手段２０の加熱面とある程度の距離をもって非接触である状態を指す。
【００４９】
媒体が布地である場合、加熱処理は印刷後のみならず、印刷前にも行われる。
印刷前に加熱処理を行うことにより、布地の毛羽立ちを抑え、シワを除去することができる。
なお、印刷後の加熱処理においては、液体のにじみや加熱手段２０の加熱面が汚れるのを防ぐため、媒体を接触させず、数ミリ程度離間させて加熱することが好ましい。
【００５０】
媒体３０が載置された保持部材１５は、図７（Ａ）に示すようにＤｚ方向において上昇し、媒体３０を加熱手段２０に当接させ押圧する。
また、図７（Ｂ）及び図７（Ｃ）に示すように、媒体３０を加熱手段２０に当接させ押圧した状態で加熱手段２０との対向領域内を移動（図７の例では副走査方向（Ｄｘ方向）に移動）することが好ましい。これにより、いわゆるアイロンがけの要領で、媒体３０のシワを効率よく除去することができる。
【００５１】
以下に、本実施形態の液体吐出装置を用いて布地に印刷を行う流れを説明する。
【００５２】
まず、媒体である布地を保持した保持部材１５が加熱手段２０の下方へ移動した後、上昇し、媒体が加熱手段２０に所定の押圧力で押し付けられる。
媒体の加熱処理時、加熱手段２０は所定の温度で発熱しており、加熱手段２０に押し付けられた媒体が加熱される。
ここで、保持部材１５は、媒体を加熱手段２０に当接させ押圧しながら、加熱手段２０との対向領域内を移動し、媒体のシワが除去される。
所定時間の加熱を行った後、保持部材１５は下降し、媒体は加熱手段２０から離間する。なお、加熱前に媒体に水分を霧状にして付与しておくことが好ましい。
【００５３】
次いで、媒体を保持した状態のまま、保持部材１５はヘッドの吐出面と対向する位置まで移動した後、上昇し、媒体に対して印刷（液体の吐出）が行われる。
【００５４】
保持部材１５は、印刷された媒体を保持した状態のまま加熱手段２０の下方へ移動し、加熱手段２０と近接ないし当接する位置まで上昇する。
印刷が施された媒体に対して所定時間加熱を行った後、保持部材１５は下降する。
この印刷後の加熱処理工程では、媒体と加熱手段２０とを押し付けないで、非接触で加熱することが好ましい。これにより、印刷面の汚れや媒体に対するダメージを低減できる。ただし、弱い押圧力で当接させた状態で加熱することもできる。
【００５５】
本実施形態の液体吐出装置によれば、布地などの媒体に対する加熱処理（吐出された液体の乾燥及び定着、並びにシワなどの除去）を、装置の大型化や装置コストの増大を招くことなく装置内で実現可能である。
また、装置内で乾燥及び定着工程が完結するため、布地などの媒体に画像を付与するときの作業性も向上させることができる。
【符号の説明】
【００５６】
１０    キャリッジ
１１    第１の液体吐出ヘッド
１２    第２の液体吐出ヘッド
１３    キャリッジ走査レール
１４    排気手段
１５    保持部材
１５ａ  保持面
１６    支持部
１７    保持部材移動台
１８    メンテナンスユニット
１９    保持部材移動レール
２０    加熱手段
２２    装置本体
３０    媒体（布地）
Ｆ      装置前方部
Ｂ      装置後方部
Ｒ      装置右側面
Ｌ      装置左側面
Ｄｘ    保持部材移動方向（副走査方向）
Ｄｙ    キャリッジ移動方向（主走査方向）
Ｄｚ    保持部材移動方向（上下方向）
【先行技術文献】
【特許文献】
【００５７】
【特許文献１】特開２０１６−１１２７６６号公報
【図１】
2020044798.tif 000003
【図２】
2020044798.tif 000004
【図３】
2020044798.tif 000005
【図４】
2020044798.tif 000006
【図５】
2020044798.tif 000007
【図６】
2020044798.tif 000008
【図７】
2020044798.tif 000009